(57)【要約】【課題】自動改札機の媒体搬送装置のメンテナンス時期を適切に判断できる手段の提供。【解決手段】自動改札機に設けた管理装置Ｋで媒体検知手段Ｓ２〜Ｓ４から出力される検知信号を記憶装置に逐次記憶する。演算装置で、繰出部２両端の媒体検知手段Ｓ２及びＳ３における媒体検知時間の差分から繰出時間Ｔ１を算出する。整列部３両端の媒体検知手段Ｓ３及びＳ４における媒体検知時間の差分から整列時間Ｔ２を算出する。繰出時間Ｔ１及び整列時間Ｔ２を所定搬送回数分記憶し、その平均値が基準値以上のときには、ベルト又はプーリー劣化等の異常が有ると判断して、ベルト又はプーリーの取替えや接触圧力調整など所要のメンテナンス作業を行う。媒体搬送時間に基づき媒体搬送装置の状態を定量的に示せるので、調整作業や部品交換等メンテナンスの要否を的確に判断できる。時間データは稼働中の媒体搬送装置から取得するので、装置の現状を正確に反映する。【選択図】      図１
2007072854.tif 000002
【特許請求の範囲】
【請求項１】
自動改札機の媒体搬送装置に沿って配置された少なくとも二箇所の媒体検知手段を用いて媒体搬送時間を測定する機能、得られた時間データを記憶する機能、前記時間データを用いて演算する機能、及び、前記時間データ又は演算結果を出力又は表示する機能を備えていることを特徴とする自動改札機の管理装置。
【請求項２】
前記時間データの演算結果に基づき、前記媒体搬送装置のメンテナンス作業の要否を判断し、判断結果を出力又は表示する機能を備えている請求項１に記載する自動改札機の管理装置。
【請求項３】
自動改札機の媒体搬送装置に沿って配置された少なくとも二箇所の媒体検知手段を用いて媒体搬送時間を測定し、得られた時間データを記憶し、前記時間データを用いて演算し、演算結果に基づいて前記媒体搬送装置のメンテナンス作業の要否を判断することを特徴とする自動改札機の管理方法。
【請求項４】
自動改札機の媒体搬送装置における繰出部の始端部、繰出部と整列部との中継部及び整列部の終端部に配置された媒体検知手段から出力される検知信号に基づいて、前記繰出部を媒体が通過する繰出時間及び前記整列部を媒体が通過する整列時間を測定する機能、前記繰出時間及び整列時間を予め設定された所定搬送回数分記憶する機能、記憶した所定搬送回数分の繰出時間及び整列時間からそれぞれの平均値を算出する機能、算出した繰出時間及び整列時間それぞれの平均値を画面表示する機能を備えていることを特徴とする自動改札機の管理装置。
【請求項５】
前記繰出時間の平均値と繰出時間の基準値とを比較する機能、及び／又は、前記整列時間の平均値と整列時間の基準値とを比較する機能、並びに、前記平均値が基準値を超えていると判断したときに、前記媒体搬送装置のメンテナンス作業の実行を要求する機能を備えている請求項４に記載する自動改札機の管理装置。
【請求項６】
自動改札機の媒体搬送装置に沿って配置した媒体検知手段から出力される検知信号に基づいて、繰出部を媒体が通過する繰出時間及び／又は整列部を媒体が通過する整列時間を測定し、前記繰出時間及び／又は整列時間を予め設定された所定搬送回数分記憶し、記憶した所定搬送回数分の繰出時間及び／又は整列時間からそれぞれの平均値を算出し、算出した繰出時間の平均値と繰出時間の基準値とを比較し、及び／又は、算出した整列時間の平均値と整列時間の基準値とを比較し、比較結果に基づいて前記媒体搬送装置のメンテナンス作業の要否を判断することを特徴とする自動改札機の管理方法。
【請求項７】
請求項１，２，４又は５のいずれかに記載する管理装置を備えていることを特徴とする自動改札機。
【発明の詳細な説明】
【技術分野】
【０００１】
本発明は、自動改札機を構成する媒体搬送装置のメンテナンス時期を管理するための手段に関し、詳しくは、媒体の搬送時間に基づいて媒体搬送装置のメンテナンスの要否を適切に判断することのできる装置、方法、及び、自動改札機を提供するものである。
【背景技術】
【０００２】
鉄道、空港をはじめとする各種交通機関の改札口や公共施設の入退場口等に多く設置されている自動改札機は、利用者が投入した切符・定期券等の媒体を取出部又は回収部まで搬送する間に、媒体に記録されているデータの読み取り、所要データの書き込み、印刷その他の処理を行う媒体搬送装置（カードハンドラとも言う）を備えている。媒体搬送装置は、一般に、投入された媒体の表裏面を挟むベルトとこのベルトを駆動するプーリーとから成る搬送手段、媒体の通過を検知するフォトセンサー等の検知手段、媒体に対しデータの読み書きを行う読み取り手段及び書き込み手段、これら各手段との間でデータや信号の送受信を行うと共にこれらの動作を制御する制御装置等が設けられている。当該媒体搬送装置は、上に述べたように多数の部材を組み合わせた複雑な機構から成り、媒体を高速で搬送しつつ所要の処理を大量に行うものであるため、その構造上、搬送路の途中で媒体が詰まる現象（ジャム）や装置自体の故障（ベルトの切断等）が発生し易い性質を有している。ジャムや故障が発生したときの対処手段については、特許文献１，２などで提案されている。
【０００３】
特許文献１には、媒体搬送装置を駆動するモータの駆動電流を監視し、検出した駆動電流値が所定範囲を逸脱するとジャム又は故障が発生したと判断して、即座にモータを停止させると共に異常状態を報知する機能を備えた媒体搬送装置用監視装置について記載されている。また特許文献２には、自動改札機のカードハンドラ（媒体搬送装置）においてジャムが発生したときに、モータを緊急停止させ、媒体搬送路に沿って配置した複数のセンサにより、投入された乗車券（媒体）の停止位置を検出し、その位置と、当該乗車券の処理状態とを表示画面に表示させることが記載されている。
【特許文献１】特開２０００−３２２６１１公報
【特許文献２】特開２００１−９３００９公報
【発明の開示】
【発明が解決しようとする課題】
【０００４】
前記特許文献１，２は、自動改札機の媒体搬送装置においてジャム等の異常が発生した時の対処技術に関し、ジャム等の発生を予防又は抑止するための手段については全く言及されていない。媒体搬送装置におけるジャム等の主たる発生要因は、媒体搬送装置を構成するベルト又はこのベルトを駆動するプーリーの劣化にあると考えられる。ベルト又はプーリーが劣化すると、ベルト間の接圧が低下して媒体の搬送速度が大きく減少し、媒体の搬送が正確に行われなくなる。その結果、媒体搬送装置の各部での媒体詰まりや、媒体に対するデータの読み取りエラー又は書き込みエラーの発生頻度が増大する。さらには、ベルトの劣化が進行して切断に至った場合には、媒体の搬送自体が不可能になる。
【０００５】
このような問題を未然に防ぐには、媒体搬送装置の状態を正確に把握し、適正時期にメンテナンスを施すことが必要である。従来は、自動改札機の稼働回数と故障発生回数とから統計的に得られるメンテナンスデータに、経験を加味して、保守作業員がメンテナンスの要否を判断していた。しかるに、メンテナンスデータはあくまで過去の故障発生事例に基づいた事後的データであるから、稼働中の自動改札機の現状を反映するものではない。しかも保守作業員の経験に基づく判断は、経験・知識・能力等の多寡によって結果が左右される可能性が有る。よって従来の判断手法では、媒体搬送装置の適正なメンテナンス時期を失したり、反対に健全な装置に対し不必要なメンテナンス作業を施したりするおそれがあった。
【課題を解決するための手段】
【０００６】
本発明は、従来の謂わば作業者の経験と勘による判断手法に替えて、媒体搬送装置の状態を定量的に診断できる手段の提供を目的とする。かかる目的のために本発明が採用した自動改札機の管理装置の特徴とするところは、自動改札機の媒体搬送装置に沿って配置された少なくとも二箇所の媒体検知手段を用いて媒体搬送時間を測定する機能、得られた時間データを記憶する機能、前記時間データを用いて演算する機能、及び、前記時間データ又は演算結果を出力又は表示する機能を備えていることにある。
【０００７】
前記管理装置は、前記時間データの演算結果に基づき、前記媒体搬送装置のメンテナンス作業の要否を判断し、判断結果を出力又は表示する機能を備えるものとしてもよい。
【０００８】
また本発明は、前記目的を達成できる自動改札機の管理方法を提供するものであって、その特徴とするところは、自動改札機の媒体搬送装置に沿って配置された少なくとも二箇所の媒体検知手段を用いて媒体搬送時間を測定し、得られた時間データを記憶し、前記時間データを用いて演算し、演算結果に基づいて前記媒体搬送装置のメンテナンス作業の要否を判断することにある。
【０００９】
本発明に係る前記管理装置の実施態様を示せば、自動改札機の媒体搬送装置における繰出部の始端部、繰出部と整列部との中継部及び整列部の終端部に配置された媒体検知手段から出力される検知信号に基づいて、前記繰出部を媒体が通過する繰出時間及び前記整列部を媒体が通過する整列時間を測定する機能、前記繰出時間及び整列時間を予め設定された所定搬送回数分記憶する機能、記憶した所定搬送回数分の繰出時間及び整列時間からそれぞれの平均値を算出する機能、算出した繰出時間及び整列時間それぞれの平均値を画面表示する機能を備えているものとすることが考えられる。
【００１０】
前記管理装置において、前記繰出時間の平均値と繰出時間の基準値とを比較する機能、及び／又は、前記整列時間の平均値と整列時間の基準値とを比較する機能、並びに、前記平均値が基準値を超えていると判断したときに、前記媒体搬送装置のメンテナンス作業の実行を要求する機能を付加することができる。
【００１１】
また本発明に係る管理方法の実施形態を示せば、自動改札機の媒体搬送装置に沿って配置した媒体検知手段から出力される検知信号に基づいて、繰出部を媒体が通過する繰出時間及び／又は整列部を媒体が通過する整列時間を測定し、前記繰出時間及び／又は整列時間を予め設定された所定搬送回数分記憶し、記憶した所定搬送回数分の繰出時間及び／又は整列時間からそれぞれの平均値を算出し、算出した繰出時間の平均値と繰出時間の基準値とを比較し、及び／又は、算出した整列時間の平均値と整列時間の基準値とを比較し、比較結果に基づいて前記媒体搬送装置のメンテナンス作業の要否を判断する管理方法とすることが考えられる。
【００１２】
さらに本発明は、前記管理装置を備えている自動改札機を提供する。
【発明の効果】
【００１３】
本発明に係る管理装置及び管理方法によれば、自動改札機の媒体搬送装置に沿って配置した媒体検知手段を用いて媒体搬送時間を測定し、得られた時間データ又は記憶した時間データの演算結果に基づいて、媒体搬送装置のメンテナンス作業の要否を判断する。すなわち本発明は、媒体搬送時間に着目し、これに基づき媒体搬送装置の状態を定量的に示せるので、調整作業や部品交換等メンテナンスの要否を的確に判断できるから、判断結果が作業者の経験・知識・能力等に左右されない。また、判断の基礎となる時間データは稼働中の媒体搬送装置から取得するので、装置の現状を正確に反映したものとなり、依って、正確で適切な判断を行える。
【００１４】
なお前記時間データの演算結果に基づき、前記媒体搬送装置のメンテナンス作業の要否を判断し、判断結果を出力又は表示する機能を備えた場合は、メンテナンスの必要時が自動的に報知されるので、メンテナンス時期を容易且つ確実に知ることができる。
【００１５】
本発明において、媒体の繰出時間及び整列時間を測定し、この繰出時間及び整列時間の平均値を画面表示するようにした場合は、自動改札機の媒体搬送装置においてジャム等の発生頻度が高く、それだけメンテナンスの必要性が高い繰出部及び整列部の劣化状態を容易に知ることができる。
【００１６】
前記において、繰出時間の平均値と繰出時間の基準値とを比較する機能、及び／又は、整列時間の平均値と整列時間の基準値とを比較する機能、並びに、前記平均値が基準値を超えていると判断したときに、前記媒体搬送装置のメンテナンス作業の実行を要求する機能を備えた場合は、繰出部及び／又は整列部のメンテナンス時期を容易且つ確実に知ることができる。
【００１７】
なお本発明に基づき構成した前記管理装置を備える自動改札機は、前記作用効果を発揮することが可能である。
【発明を実施するための最良の形態】
【００１８】
（媒体搬送装置）
はじめに、本発明が適用される自動改札機の媒体搬送装置の概略構成を説明する。自動改札機は、鉄道・航空・船舶等の各種交通機関における改札口や、テーマパーク・遊園地・動物園・美術館等の公共施設における入退場口などに多く設置され、利用者の通行を管理又は制限する機能を有している。すなわち、乗車券・搭乗券・入場券・定期券その他の媒体を、媒体搬送装置で投入部から取出部又は回収部まで搬送する間に、データの読取り・書き込み等の所要処理を行い、読み取ったデータに基づき投入者の通行の許可又は拒否を判断し、拒否と判断した場合には必要に応じ通路を閉止するように構成されている。
【００１９】
図１に示すように、自動改札機に備えられる媒体搬送装置Ｘは、カードハンドラ又は単にハンドラとも呼ばれ、プーリーｐ，ｐ間に架け渡した無端ベルトの一対ｂ，ｂを対向配置することにより搬送路Ｒ１〜Ｒ４が構成され、ベルトｂ，ｂ間で乗車券等の切符、定期券その他の媒体（図示せず）の表裏面を挟持し、投入部１から取出部１０（又は図示しない回収部）まで搬送するようになされている。投入部１に続く第１の搬送路Ｒ１には繰出部２が、第２の搬送路Ｒ２には整列部３が、第３の搬送路Ｒ３には第１読取部４，書き込み部５，第２読取部６，入鋏部７及び印字部８が、第４の搬送路Ｒ４には集札部９及び取出部１０が設けられている。また第３の搬送路Ｒ３の途中、第１読取部４と書込部５との間には、反転部１１及びプール部１２が設けられる。
【００２０】
繰出部２は、複数枚の媒体が重ね合わせて投入されたときに、一枚ずつに分離して送り出す機能を有している。整列部３は、媒体の姿勢を、後続の処理が適切になされるよう、所定の状態に整えるものである。第１読取部４は、媒体に書き込まれているデータを読み取る部位であって、搬送路Ｒ３を上下に挟むように配置した二つの読取用ヘッドＨ１，Ｈ２で構成されており、一方のヘッドＨ１が裏面を上側にして投入された媒体のデータを読み取るためのもの、もう一方のヘッドＨ２が表面を上側にして投入された媒体のデータを読み取るためのものである。書込部５は、媒体に所要データを記録又は書き換えるための書込用ヘッドＨ３から成り、第２読取部６は、媒体に書き込んだデータ内容を確認するための検証用ヘッドＨ４から成る。反転部１１は、裏面を上側にして投入された媒体を、表面が上側となるよう反転させるための機構であり、これにより、反転部１１より下流側のヘッドＨ３，Ｈ４は、搬送路Ｒ３の下方側だけに配置すればよくなる。プール部１２は、複数枚の媒体が投入されたときに、繰出部２で分離した媒体の一つに所要の処理を施している間、残りの媒体を装置内に保留するための機構である。入鋏部７は必要に応じて媒体にパンチ孔を穿つための部位、印字部８は必要に応じて媒体に所定の文字・文章を印字するための部位である。集札部９は、投入された複数枚の媒体を逐次処理し終えたのち、それらを集約してまとめるための機構である。取出部１０は、処理を終えた媒体を装置から排出して利用者へ返却するためのものである。なお図示は省略したが、第３の搬送路Ｒ３の終端部に続けて、別経路の搬送路が形成され、この搬送路の終端に、利用者への返却を要しない媒体を回収する回収部が設けられる。
【００２１】
通常、媒体搬送装置Ｘには、搬送される媒体の通過位置を検知するための媒体検知手段が設けられる。図１には、媒体の投入部１、繰出部２の始端部、繰出部２と整列部３との中継部、及び、整列部３の終端部それぞれに、媒体検知手段Ｓ１〜Ｓ４を配置した状態を例示してある。媒体検知手段には、高速で移動する媒体を非接触で精度良く検知できるセンサが望ましく、例えばフォトセンサ・光電スイッチ等の光学的センサが代表的である。媒体検知手段が投光器・受光器から成る透過型フォトセンサの場合、投光器が投射する検知光を媒体が遮断することによって、媒体の通過を検出する。また、投入部１の媒体検知手段Ｓ１は、複数のフォトセンサを配列して構成され、媒体投入時に遮断されるフォトセンサの範囲から媒体の寸法を判断できるように成されている。
【００２２】
制御装置Ｃは、媒体検知手段Ｓ１〜Ｓ４から出力される媒体検知信号に基づき、搬送路Ｒ１〜Ｒ４を構成するベルトｂ及びプーリーｐを駆動するモータ（図示せず）の動作、媒体に対しデータの読み書きを行うヘッドＨ１〜Ｈ４の動作、入鋏部７及び印字部８の各動作を制御するものである。また当該制御装置Ｃは、第１読取部４で読み取ったデータに基づき、媒体投入者の通過の可否を判断し、不可と判断したときには自動改札機に備えられるドア等で通路を閉止する指令又は警報を動作させる指令を出力する機能も有している。
【００２３】
次に前記媒体搬送装置Ｘを、鉄道の改札口に設置される自動改札機に適用した場合の動作を説明する。なお媒体搬送装置Ｘの一連の動作は、原則的に制御装置Ｃによって制御される。利用者が乗車券、定期券等の媒体を投入部１に投入すると、第１の媒体検知手段Ｓ１が媒体の投入及び媒体の寸法を検知して検知信号を出力する。この検知信号に基づき、繰出部２が媒体を取り込んで整列部３へ送り出す。また媒体寸法のデータにより、媒体種類が判別される。複数の媒体が重ねて投入された場合は、繰出部２で一枚ずつに分離される。媒体搬送の円滑性を高め、後続のヘッドＨ１〜Ｈ４による読み書き効率を良くするため、媒体は、整列部３で所定の姿勢に修正されたのち、搬送路Ｒ３の第１読取部４へ送り出される。この間、媒体検知手段Ｓ２〜Ｓ４により媒体の通過が検知される。検知信号は制御装置Ｃへ出力され、位置確認がなされる。
【００２４】
搬送路Ｒ３へ送り出された媒体は、第１読取部４で記録データが読み取られ、引き続き書込部５で検札情報が書き込まれ、第２読取部６で書込みデータの検証が行われる。そして必要に応じ、媒体に入鋏部７でパンチ孔が穿設され、印字部８で所要の文字・文言が印刷される。媒体が裏向き投入された場合は、第１読取部４の通過後、反転部１１で表面が上向きとなるよう反転される。複数の媒体が投入された場合は、繰出部２で分離した媒体のうち先行する媒体の処理を実行する間、後続の媒体はプール部１２に一時保留され、媒体処理の終了後、集札部９に集約されまとめられる。しかるのち媒体は、搬送路Ｒ４を経由して取出部１０から利用者へ返却される。あるいは、返却不要と判断された媒体は、集約部に連接した別経路の搬送路から回収部へ送出される。
【００２５】
（管理装置及び管理方法）
ところで、自動改札機の媒体搬送装置Ｘにおいて、搬送路を構成するベルトｂ又はプーリーｐの劣化、あるいはこれらの調整不良などにより、ベルトｂ，ｂ間の接圧が適正でなくなるとジャムが発生し易くなる。そしてジャムの発生頻度が高いのは、繰出部２及び整列部３であることが知られている。そこで本実施形態では、自動改札機の適所に設けた管理装置Ｋで、繰出部２及び整列部３の媒体通過時間を測定し、得られた時間データに基づいて、媒体搬送装置Ｘの状態を監視することとした。
【００２６】
上記管理装置Ｋは、図２（Ａ）に示すような箱状ハウジング２０の内部にメモリ等の記憶装置やＣＰＵ等の演算装置が内蔵され、外面部に、液晶ディスプレイ等から成る表示部２１、操作部２２、データの入出力部３０，３１等を設けたものである。図２（Ｂ）に示すように、操作部２２には、表示部２１に表示させる項目を選択するためのボタン２３〜２８が設けられる。ボタン２３は繰出部２のデータ表示に切り換えるためのもの、ボタン２４は整列部３のデータ表示に切り換えるためのものである。ボタン２５〜２８は、表示項目を選定するのに用いられる。データ入出力部３０，３１は、制御装置Ｃや外部の中央管理センター等と接続される。通常、媒体検知手段Ｓ２〜Ｓ４から出力される媒体検知信号は、制御装置Ｃへ集約して入力されるよう設定されているので、制御装置Ｃに入力される信号線を分岐して管理装置Ｋに接続し、媒体検知信号が制御装置Ｃから管理装置Ｋへ転送されるように構成した。但し、状況に応じ、管理装置Ｋを、制御装置Ｃを仲介させることなく、直接、各媒体検知手段Ｓ２〜Ｓ４に接続することも妨げない。
【００２７】
前記の如く構成された管理装置Ｋは、媒体搬送時に各媒体検知手段Ｓ２〜Ｓ４から出力される検知信号を記憶装置に逐次記憶する。そして図３に示す要領により、演算装置によって、繰出部２の両端に配置した媒体検知手段Ｓ２及びＳ３における媒体検知時間の差分から、搬送路Ｒ１を媒体が通過するのに要した時間（繰出時間Ｔ１）を算出する。他方、整列部３の両端に配置した媒体検知手段Ｓ３及びＳ４における媒体検知時間の差分から、搬送路Ｒ３を媒体が通過するのに要した時間（整列時間Ｔ２）を算出する。これら繰出時間Ｔ１及び整列時間Ｔ２は、媒体の所定搬送回数分（例えば２０００件）、記憶装置に格納される。なお、寸法が異なる媒体（例えば定期券と普通乗車券など）は繰出部２及び整列部３の通過速度に差異が生じるので、特定寸法の媒体（例えば定期券）の繰出時間Ｔ１及び整列時間Ｔ２のみを選択して記憶するよう設定してもよい。あるいは、媒体の種類ごとに、繰出時間Ｔ１及び整列時間Ｔ２の平均値を表示できるよう設定することも考えられる。媒体種類の判別は、投入部１の媒体検知手段Ｓ１により可能である。もしくは、整列部３の通過後、第１読取部４で読み取ったデータを制御装置Ｃを通じて管理装置Ｋにフィードバックさせ、媒体種類の判別に利用することも考えられる。
【００２８】
こうして管理装置Ｋに蓄積された繰出時間Ｔ１及び整列時間Ｔ２のデータに基づき、媒体搬送装置Ｘの状態診断及びメンテナンスの要否判定を行う。ある自動改札機の媒体搬送装置Ｘにおいて、媒体（例えば定期券等の大型サイズの乗車券）を投入した場合、繰出時間Ｔ１の正常な平均値が約１８０ｍｓ（ミリ秒）であり、整列時間Ｔ２の正常な平均値が約２１５ｍｓ（ミリ秒）であるとする。管理装置Ｋで算出した上記Ｔ１，Ｔ２の値が上記平均値よりも許容値（例えば５ｍｓ）以上大きくなったとき、つまりＴ１≧１８５ｍｓ，Ｔ２≧２２０ｍｓのときには、媒体搬送装置Ｘにジャムや媒体検出エラー等の障害発生頻度が高くなる。そこで定期点検時・応急修繕時などに、図４に示すような診断手順で媒体搬送装置Ｘの状態を確認することにより、メンテナンス作業の要否を判定する。すなわち管理装置Ｋの表示部２１に、所定の媒体搬送回数（例えば１００搬送）ごとの繰出時間Ｔ１及び整列時間Ｔ２の平均値を表示させ（繰出時間Ｔ１と整列時間Ｔ２との表示切換は操作部２２のボタン２３，２４による）、これを作業者が確認する。繰出時間Ｔ１及び整列時間Ｔ２の平均値が、基準値（正常平均値＋許容値）よりも小さい（Ｔ１＜１８５ｍｓ，Ｔ２＜２２０ｍｓ）ときには、メンテナンスの必要は無いと判断して、各部の点検を行った後、点検・修繕を終了する。繰出時間Ｔ１又は整列時間Ｔ２の平均値が上記基準値以上のときには、ベルト又はプーリー劣化等の異常が有ると判断して、ベルト又はプーリーの取替えや接触圧力調整等の所要のメンテナンス作業を行えばよい。
【００２９】
なお上に掲げた各数値は例示であって、媒体搬送装置Ｘの機種・設置状況・使用態様等に応じ適宜変更されるものである。特に、繰出時間Ｔ１又は整列時間Ｔ２の正常平均値やメンテナンスの要否を判定するための基準値は、実機の測定に基づいて設定する必要がある。また平均値を算出するための母集団の大きさも、適宜変更が可能である（例えば搬送５０回毎、２００回毎など）。さらに必要に応じ、繰出時間Ｔ１又は整列時間Ｔ２の最大値・最小値を記憶しておき、これを判断材料とすることも考えられる。
【００３０】
（メンテナンスモード）
ところで前記管理装置Ｋは以下のような使用態様も考えられる。前記管理装置Ｋは、媒体搬送１００回ごとの繰出時間Ｔ１及び整列時間Ｔ２の平均値を表示させる通常モードのほかに、媒体搬送１回ごとに繰出時間Ｔ１及び整列時間Ｔ２を表示又は媒体搬送２〜９９回の任意に指定した回数における繰出時間Ｔ１及び整列時間Ｔ２の平均値・最大値・最小値を表示させるメンテナンスモードを採用できる。メンテナンスモードは、媒体搬送装置Ｘの定期点検・応急修繕・オーバーホール等を行った後、装置の状態確認に利用できる。すなわち、必要最小限の媒体搬送回数で、繰出時間Ｔ１及び整列時間Ｔ２を基準値と比較することにより、媒体搬送装置Ｘの回復状態を定量的に評価することができる。従来は、メンテナンス後の確認は、ジャムやエラーの有無を観察すること及び作業者の感覚に委ねられており、そのため装置の状態回復程度が定量的に判定できず、場合によっては、ジャムやエラーがすぐに再発するおそれがあった。これに対し本発明は、媒体搬送装置Ｘの回復状態を定量的に評価するから、ジャム・エラーの再発を抑制することが可能である。
【００３１】
［その他の実施形態］
前記管理装置Ｋは、繰出時間Ｔ１及び整列時間Ｔ２の平均値を表示するだけでなく、この平均値とあらかじめ設定した基準値とを比較し、平均値が基準値以上である不良状態になったときには、これを表示部２１に表示すると共に、光学的手段（ＬＥＤやパイロットランプ等）又は音響的手段（ブザー・チャイム・音声等）で報知するよう構成することが考えられる。あるいは、外部に中央管理センター等を設け、適宜の通信手段により、上記不良状態を報知することも可能である。
【００３２】
また前記管理装置Ｋは、従来の自動改札機に装着し、その制御装置と接続するだけで、本発明の効果を発揮させることが可能であるから、既存の自動改札機への適用が容易である。あるいは、自動改札機を新規製造する際に、本発明に係る管理装置を一体に組み込むことも可能である。
【００３３】
なお前述の実施形態は、媒体搬送装置Ｘにおけるメンテナンス要否を判断する材料として、繰出時間Ｔ１及び整列時間Ｔ２を用いたが、搬送路Ｒ３，Ｒ４や反転部１１，プール部１２にも媒体検知手段を設け、各部の媒体搬送時間を測定して判断材料とすることも妨げない。
【図面の簡単な説明】
【００３４】
【図１】本発明が適用される媒体搬送装置を示す概略構成図である。
【図２】図（Ａ）は本発明に係る管理装置の一例を示す斜視図、図（Ｂ）は同管理装置の表示部及び操作部を示す正面図である。
【図３】繰出時間及び整列時間を説明するグラフである。
【図４】本発明に基づき媒体搬送装置におけるメンテナンスの要否を判断する手順を説明するフローチャートである。
【符号の説明】
【００３５】
Ｘ…媒体搬送装置    １…投入部  ２…繰出部  ３…整列部  ４…第１読取部  ５…書込部  ６…第２読取部  ７…入鋏部  ８…印字部  ９…集札部  １０…取出部  １１…反転部  １２…プール部  Ｃ…制御装置  Ｋ…管理装置  Ｈ１〜Ｈ４…ヘッド  Ｒ１〜Ｒ４…搬送路  Ｓ１〜Ｓ４…媒体検知手段  ｂ…ベルト  ｐ…プーリー
【図１】
2007072854.tif 000003
【図２】
2007072854.tif 000004
【図３】
2007072854.tif 000005
【図４】
2007072854.tif 000006